(57)【要約】      （修正有）【課題】交通輸送工具の車体に嵌め込むことにより、前記交通輸送工具が走る際に気流の流れ角度を調整し、気流の下方押圧力を向上すると共に、車体の揺れを抑える導流構造を提供する。【解決手段】交通輸送工具の車体に嵌め込むためのベース１１と、前記ベース１１の一面の中央部に設けられると共に、前記ベースの中央部の両側から突出して導流部１２１、１２２を夫々有する本体１２と、を有し、前記導流部１２１、１２２は互いに連接され、前記本体１２は、楕円状であることを特徴とする導流構造により、前記交通輸送工具が走る際に、前記本体１２により走行際の気流の流れ角度を調整し、気流の下方押圧力を向上すると共に、前記交通輸送工具が高速走行での安定性を向上する。【選択図】図１
0003182428.tif 000002
【実用新案登録請求の範囲】
【請求項１】
交通輸送工具の車体に嵌め込むためのベースと、前記ベースの一面の中央部に設けられると共に、前記ベースの中央部の両側から突出して導流部を夫々有する本体と、を有し、前記導流部は互いに連接され、前記本体は、楕円状であることを特徴とする導流構造。
【請求項２】
前記交通輸送工具は、台湾鉄道の電車又は高鉄の列車であることを特徴とする請求項１に記載の導流構造。
【請求項３】
前記ベースは、前記交通輸送工具の少なくとも一つ側面の車体に嵌め込むことを特徴とする請求項２に記載の導流構造。
【請求項４】
前記ベースは、前記交通輸送工具の少なくとも一つ側辺の車体に嵌め込むことを特徴とする請求項３に記載の導流構造。
【請求項５】
前記ベースは、矩形であることを特徴とする請求項４に記載の導流構造。
【請求項６】
前記ベースの周囲に複数のねじ孔が形成され、これらのねじ孔が前記本体に囲まれることにより、前記交通輸送工具の車体に設けられることを特徴とする請求項５に記載の導流構造。
【請求項７】
前記本体は、前記交通輸送工具の車体と一体形成することを特徴とする請求項６に記載の導流構造。
【請求項８】
ブリッジのベース座の表面に設置されるためのベースと、前記ベースの一面の中央部に設けられると共に、前記ベースの中央部の両側から突出して導流部を夫々有する本体と、を有し、前記導流部は互いに連接され、前記本体は、楕円状であることを特徴とする導流構造。
【請求項９】
前記ベースは、矩形であることを特徴とする請求項８に記載の導流構造。
【請求項１０】
前記ベースの周囲に複数のねじ孔が形成され、これらのねじ孔が前記本体に囲まれることにより、前記ベース座に設けられることを特徴とする請求項９に記載の導流構造。
【考案の詳細な説明】
【技術分野】
【０００１】
本考案は、導流構造に関し、特に交通輸送工具の車体に嵌め込むことにより、前記交通輸送工具が走る際に気流の流れ角度を調整し、気流の下方押圧力を向上すると共に、車体の揺れを抑える導流構造に関するものである。
【背景技術】
【０００２】
台湾地区は、この４０年ほどの間に経済が快速的に成長すると共に、国民の所得も大幅に向上するため、自家用自動車及びオートバイの使用率も年々向上していく。
【０００３】
しかし、台湾では、土地が狭いのに、人口数が高いため、道路の拡充が制限され、前記のように個人交通工具の快速成長に有効に対応できず、今までの交通渋滞や駐車問題に招いてしまう。前記の事情に鑑み、近年、台湾政府は、この交通問題を解決できるように様々な交通建設を積極的に計画する。
【０００４】
例えば近年、台湾高鉄の運転並びに台湾鉄道の電車の新車発表は、交通の問題を解決するためである。更に高鉄の生まれ及び台湾鉄道の電車の革新に伴い、南北移動の時間が大幅に縮減され、常に南北移動の必要がある乗客にとって楽となる。
【考案の概要】
【考案が解決しようとする課題】
【０００５】
しかしながら、たとえ高鉄と台湾鉄道の電車のサービス品質が乗客に好評されるが、高鉄と台湾鉄道の電車に乗ったことがある乗客にとって二つの列車が高速の運転で互いに交差する時、この高速による発生する気流が大き過ぎて列車が激しく振動され、ひいては乗客の乗車快適感に悪影響を与えてしまう。
【０００６】
従って、如何に上記の問題を解決するのは、業者にとって非常に重要の課題となる。
【課題を解決するための手段】
【０００７】
本考案の目的は、導流構造を提供することであり、前記導流構造は、ベースと、前記ベースの一面の中央部に設けられる本体から構成されると共に、交通輸送工具の車体に設けられる。前記交通輸送工具が走る際に、前記本体により気流の流れ角度を調整し、気流の下方押圧力を向上すると共に、車体の揺れを抑える、ひいては乗客の乗車快適感を向上する。また、ブリッジのベース座の表面に設置されてもよく、このブリッジが激しい川水に衝突される際、前記本体により川水の流れを改変することにより、激しい川水の衝撃力を分散し、ひいてはブリッジの損害を減少する。
【０００８】
上記の目的を達成するために、本考案に係わる第１の技術手段は、交通輸送工具の車体に嵌め込むためのベースと、前記ベースの一面の中央部に設けられると共に、前記ベースの中央部の両側から突出して導流部を夫々有する本体と、を有し、前記導流部は互いに連接され、前記本体は、楕円状であることを特徴とする。これにより、前記交通輸送工具が走る際に、前記本体により走行際の気流の流れ角度を調整し、気流の下方押圧力を向上すると共に、前記交通輸送工具が高速走行での安定性を向上する。
【０００９】
上記の目的を達成するために、本考案に係わる第２の技術手段は、ブリッジのベース座の表面に設置されるためのベースと、前記ベースの一面の中央部に設けられると共に、前記ベースの中央部の両側から突出して導流部を夫々有する本体と、を有し、前記導流部は互いに連接され、前記本体は、楕円状であることを特徴とする。これにより、川水が激しいとき、前記本体により川水の流れを改変することにより、激しい川水の衝撃力を分散し、ひいてはブリッジの損害を減少する。
【考案の効果】
【００１０】
本考案に係わる導流構造は上記の課題を解決するものであり、前記技術手段により下記のようなメリットと効果を有する。
【００１１】
本考案に係わる導流構造は、ベースと、前記ベースの一面の中央部に設けられる本体と、を有し、前記ベースは、交通輸送工具の車体に嵌め込むためであり、例えば、台湾鉄道の電車又は台湾高鉄の列車、前記ベースの周囲に更に複数のねじ孔が形成され、複数のねじにより前記ベースが前記交通輸送工具の車体に設置され、本考案に係わる導流構造と前記交通輸送工具との連結効果を向上し、また、前記本体は前記ベースの中央部の両側から夫々突出して導流部を有、且つ前記導流部は互いに連接される。
【００１２】
列車が高速走行する際に乱流が発生し、特に二つの列車が高速の運転で互いに交差する時、この高速による発生する乱流が大き過ぎて列車が激しく振動され、ひいては乗客の乗車快適感に悪影響を与えてしまい、本考案の導流部により、列車が高速走行する際に発生する乱流の流れ方向を改変すると共に、気流の下方押圧力を向上し、ひいては二つの列車が互いに交差する時、車体を安定して車体の揺れを抑える。
【００１３】
又、台湾では、夏と秋の時が台風の季節であるため、川水が激しく、川水が大量発生する場合がある。川水が激しく、川水が大量発生する時に激しい川水より水流の衝撃力が発生するため、ブリッジのベース座がこの衝撃力を耐えなければ、当該ブリッジが断裂され、ひいては両地の連絡道路を中断してしまう。
【００１４】
従って、本考案に係わる導流構造のベースの周囲に設けられる複数のねじ孔に複数のねじが設けられることにて前記ベースをブリッジのベース座に設置することにより、水流の流れを改変し、ひいては激しい川水の衝撃力を分散し、ブリッジの損害を減少する。
【図面の簡単な説明】
【００１５】
【図１】本考案に係わる導流構造の斜視図である。
【図２】本考案に係わる導流構造を車体に設けられる状態を示す参考図である。
【図３】本考案に係わる導流構造の使用状態を示す参考図である。
【図４】本考案に係わる導流構造の表面気流の流れを示す参考図である。
【図５】本考案に係わる導流構造の他の使用状態を示す参考図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１に示すのは、本考案に係わる導流構造の斜視図であり、図２に示すのは、本考案に係わる導流構造を車体に設けられる状態を示す参考図であり、図３に示すのは、本考案に係わる導流構造の使用状態を示す参考図であり、図４に示すのは、本考案に係わる導流構造の表面気流の流れを示す参考図である。以下に、図１乃至図４を同時に参考する。
【００１８】
本考案に係わる導流構造（１）は、ベース（１１）と、本体（１２）と、を有し、前記ベース（１１）は、交通輸送工具（２）の車体（３）に嵌め込むためのものである。
【００１９】
前記本体（１２）は、前記ベース（１１）の一面の中央部に設けられると共に、前記ベース（１１）の中央部の両側から突出して導流部（１２１）（１２２）を夫々有し、且つ前記導流部（１２１）（１２２）は互いに連接され、また、前記本体（１２）は、楕円状である。
【００２０】
本実施形態において、前記ベース（１１）は、前記交通輸送工具（２）の少なくとも一つ側面の車体（３）と少なくとも一つ側辺の車体（３）に嵌め込む。
【００２１】
更に、前記交通輸送工具（２）は、台湾鉄道の電車又は高鉄の列車である。
【００２２】
本実施形態において、前記ベース（１１）の周囲に複数のねじ孔（１１１）が形成され、これらのねじ孔（１１１）が前記本体（１２）に囲まれることにより、前記交通輸送工具（２）の車体（３）に設けられる。
【００２３】
本実施形態において、前記ベース（１１）は、矩形である。
【００２４】
本考案に係わる導流構造（１）は、前記交通輸送工具（２）の車体（３）に矩形のベース（１１）が嵌めこまれると共に、前記ベース（１１）の周囲に設けられる複数のねじ孔（１１１）と複数のねじ（４）により、前記導流構造（１）を前記交通輸送工具（２）の車体（３）に設けられる。又、前記交通輸送工具（２）は、台湾鉄道の電車であり、例えば自強号、キョ光号、復興号…などであり、また、台湾高鉄の列車であっても良く、例えば７００Ｔ型の列車である。
【００２５】
一般には、台湾鉄道の電車が走行する際の最高時速は、１３０ＫＭであり、また、台湾高鉄の列車が走行する際の最高時速は、３５０ＫＭであるため、これらの列車が走行する際に極大の乱流が発生し、特に二つの列車が高速走行で互いに交差する時、その内部における乗客にとって車体の振動が強く感じられ、ひいては乗客の乗車快適感に悪影響を与える。本考案に係わる導流構造（１）は、前記交通輸送工具（２）の左側面、右側面、上面又は側辺などに設けられることができ、これにより、走行中の列車による発生する気流が前記楕円形の本体（１２）の導流部（１２１）（１２２）に衝突する際、その流れ方向が改変され、気流の下方押圧力を向上し、ひいては二つの列車が互いに交差する時、車体を安定して車体の揺れを抑える
【００２６】
本実施形態において、前記本体（１２）は、前記交通輸送工具（２）の車体（３）と一体形成しても良い。
【００２７】
本考案において、前記本体（１２）は、前記交通輸送工具（２）の車体（３）と一体形成することができるため、前記ベース（１１）を前記交通輸送工具（２）の車体（３）に嵌め込む必要がなく、前記ベース（１１）を車体（３）に嵌め込む手続きが必要せず、そしてねじ（４）により前記ベース（１１）の設置手続きも必要ないので、組立ての時間を節約できる。
【００２８】
図５に示すのは、導流構造の他の使用状態を示す参考図であり、以下に、図５を同時に参考する。
【００２９】
本考案に係わる導流構造（１）は、ベース（１１）と本体（１２）からなる。
【００３０】
前記ベース（１１）は、ブリッジのベース座（５）の表面に設けられるためのものである。
【００３１】
前記本体（１２）は、前記ベース（１１）の一面の中央部に設けられると共に、前記ベース（１１）の中央部の両側から突出して導流部（１２１）（１２２）を夫々有し、且つ前記導流部（１２１）（１２２）は互いに連接され、また、前記本体（１２）は、楕円状である。
【００３２】
本実施形態において、前記ベース（１１）の周囲に複数のねじ孔（１１１）が形成され、これらのねじ孔（１１１）が前記本体（１２）に囲まれることにより、前記ベース座（５）に設けられる。
【００３３】
本実施形態において、前記ベース（１１）は、矩形である。
【００３４】
本考案に係わる導流構造（１）は、前記ベース（１１）の周囲に設けられる複数のねじ孔（１１１）と複数のねじ（４）により、前記ベース（１１）を前記ベース座（５）に設けられる。又、台風が来るとき、雨量が多すぎるため、川水が激しく、川水が大量発生することがあり、この時に本考案の本体（１２）により、激しい川水の衝撃力を分散し、ブリッジの損害を減少することができる。
【００３５】
上述したように、本考案の実施形態によれば、達成しようとする効果を図ることができ、この構成は同じの製品から見えず、また出願前に公開することもなく、実用新案法の規定に該当するので、特許査定を賜るよう願う。
【符号の説明】
【００３６】
１              導流構造
１１            ベース
１１１          ねじ孔
１２            本体
１２１、１２２  導流部
２              交通輸送工具
３              車体
４              ねじ
５              ベース座
【図１】
0003182428.tif 000003
【図２】
0003182428.tif 000004
【図３】
0003182428.tif 000005
【図４】
0003182428.tif 000006
【図５】
0003182428.tif 000007